(57)【要約】【課題】  当初梱包時や再梱包時における包装箱の箱強度が低下したり、コスト高となったりすることなく、包装箱の小型化を可能として荷扱いを簡単とする。【解決手段】  例えば長手側面１２・１３と短手側面１０・２６の各２つを互いに対向して設ける４つの矩形状の側面と、それら側面の上下辺にそれぞれ折り曲げ自在に連結して設ける、内フラップや外フラップなどのフラップとを有する段ボール箱等の包装箱において、４つの側面の少なくとも１つ、例えば短手側面２６を隣接側面１２・１３から離して水平方向に移動可能な移動側面とし、その左右両側縁を伸張自在な折り畳み片１４・１５を介して各々隣接側面に連結し、折り畳み片を折り畳んだ状態でそれらの隣接側面の側縁と移動側面の左右両側縁とをそれぞれ突き合わせて接着テープ３３で固定する。【選択図】      図５
2007030913.tif 000002
【特許請求の範囲】
【請求項１】
各２つを互いに対向して設ける４つの矩形状の側面と、それら側面の上下辺にそれぞれ折り曲げ自在に連結して設けるフラップとを有する包装箱において、
前記側面の少なくとも１つを移動側面としてその左右両側縁を伸張自在な折り畳み片を介して各々隣接側面に連結し、それらの隣接側面の側縁と前記移動側面の左右両側縁とをそれぞれ突き合わせて接着テープで固定することを特徴とする、包装箱。
【請求項２】
前記折り畳み片を前記隣接側面に一体的に形成し、先端縁を前記移動側面に接合することを特徴とする、請求項１に記載の包装箱。
【請求項３】
前記折り畳み片に係止片と、その係止片を掛け止めて前記折り畳み片を折り畳み状態で保持する被係止部とを設けることを特徴とする、請求項１または２に記載の包装箱。
【請求項４】
前記折り畳み片を伸張して前記移動側面を開くとき、手を掛ける手掛け孔を前記移動側面にあけることを特徴とする、請求項１ないし３のいずれかに記載の包装箱。
【請求項５】
前記４つの矩形状の側面のうち互いに対向する２つの側面を前記移動側面とすることを特徴とする、請求項１ないし４のいずれかに記載の包装箱。
【請求項６】
前記４つの矩形状の側面を互いに対向して設ける２つの長手側面と２つの短手側面とで形成し、そのうちの短手側面を前記移動側面とすることを特徴とする、請求項１ないし５のいずれかに記載の包装箱。
【請求項７】
前記４つの矩形状の側面を互いに対向して設ける２つの長手側面と２つの短手側面とで形成し、そのうちの長手側面を前記移動側面とすることを特徴とする、請求項１ないし５のいずれかに記載の包装箱。
【発明の詳細な説明】
【技術分野】
【０００１】
この発明は、複写機、プリンタ、ファクシミリなどの製品を梱包するときに使用する包装箱に関する。詳しくは、各２つを互いに対向して設ける４つの矩形状の側面と、それら側面の上下辺にそれぞれ折り曲げ自在に連結して設けるフラップとを有する、段ボール箱等の包装箱に関する。
【背景技術】
【０００２】
従来、複写機等の製品を梱包するときに使用する包装箱は、例えば図１１に示す平面図から判るとおり、包装箱１内の四隅に緩衝材２を入れて後、それらの緩衝材２上に載置して包装箱１内に製品３を収納していた。そして、開梱時は、図示省略する上フラップを開いて上から包装箱１と製品３との間の隙間Ｂに手ｈを入れ、その手ｈを例えばａ位置で製品３の底部に掛けて製品３を持ち上げ、包装箱１内から取り出していた。
【０００３】
このため、包装箱１と製品３との間の隙間Ｂは、その隙間Ｂに手ｈが入るように手の幅Ｃよりも大きくする必要があり、その結果包装箱１の幅Ｄが大きくなって包装箱１が大型化する問題があった。
【０００４】
そこで、従来の包装箱の中には、例えば図１２に示すように、４つの側面の少なくとも１つの側面４の下辺にカットテープ５を貼り付けるとともに、その側面４の片縁をジョイント部材６で隣接側面７の止め代用フラップ７ａに連結するものがある。そして、開梱時は、カットテープ５を引っ張って側面４の下辺で切断し、ジョイント部材６を外して片縁を止め代用フラップ７ａから分離して他縁を中心として側面４を図中矢示方向に開き、包装箱１内から不図示の製品を取り出していた。
【０００５】
また、従来の包装箱の中には、例えば図１３に示すように、１つの側面４の両側縁付近にそれぞれ縦方向のミシン目８を有するものがある。そして、開梱時は、上フラップ９を持ってそれらのミシン目８で切断して下縁を中心として上フラップ９とともに側面４を下向きに開き、包装箱１内から製品３を取り出していた。
【０００６】
このようにすると、包装箱１の側面４側が開くから包装箱１と製品３との隙間を大きくすることなく、製品３の取り出しを容易とすることができる。よって、包装箱１を小型化することができる。
【０００７】
【特許文献１】特許第３１９９６３０号公報
【特許文献２】特開平１１-３０１６５３号公報
【発明の開示】
【発明が解決しようとする課題】
【０００８】
ところが、上述したような従来の包装箱では、ジョイント部材６を必要とするからその分コスト高となったり、側面４の下縁を切断するからそれを用いて再梱包するときの箱強度が低下したり、側面４の両側縁付近に縦方向のミシン目８を有することから箱の圧縮強度が低下したりする問題があった。
【０００９】
そこで、この発明の目的は、当初梱包時や再梱包時における包装箱の箱強度が低下したり、コスト高となったりすることなく、包装箱の小型化を可能として荷扱いを簡単とすることにある。
【００１０】
この発明の第２の目的は、包装箱を構成する部品点数を少なくするとともに、包装箱の組立てを簡単とすることにある。
【００１１】
この発明の第３の目的は、包装箱を組み立てるときの包装箱の組立作業性を向上することにある。
【００１２】
この発明の第４の目的は、包装箱の梱包を解くときの包装箱の開梱作業性を向上することにある。
【００１３】
この発明の第５の目的は、包装箱を開梱して製品を取り出すときの製品の取り出し作業性を向上することにある。
【課題を解決するための手段】
【００１４】
かかる目的を達成すべく、この発明は、例えば長手側面と短手側面の各２つを互いに対向して設ける４つの矩形状の側面と、それら側面の上下辺にそれぞれ折り曲げ自在に連結して設ける、内フラップや外フラップなどのフラップとを有する、複写機やプリンタやファクシミリなどの製品を収納する、段ボール箱等の包装箱において、
４つの側面の少なくとも１つを隣接側面から離して水平方向に移動可能な移動側面としてその左右両側縁を伸張自在な折り畳み片を介して各々隣接側面に連結し、折り畳み片を折り畳んだ状態でそれらの隣接側面の側縁と移動側面の左右両側縁とをそれぞれ突き合わせて接着テープで固定する、ことを特徴とする。
【００１５】
そして、開梱時には、カッターナイフなどで接着テープを切り開いたり接着テープを剥がしたりして移動側面の左右両側縁と隣接側面の側縁とを離し、折り畳み片を開いて伸張することにより隣接側面から離して移動側面を水平方向に移動し、必要に応じて収納する製品も同方向に移動して、対向する２つの側面と製品との間の隙間を大きくし、その隙間に手を入れて製品を持ち上げて取り出す。
【００１６】
請求項２に記載の発明は、そのような請求項１に記載の包装箱において、上述した第２の目的を達成すべく、折り畳み片を、移動側面に隣接する隣接側面から連続して一体的に形成し、折り畳み片の先端縁を接着等で移動側面に接合する、ことを特徴とする。
【００１７】
そして、製品を梱包するために組み立てるときには、隣接側面に一体的に形成する折り畳み片の先端縁を移動側面に接合し、折り曲げ片を折り畳んで隣接側面の側縁と移動側面の左右両側縁とをそれぞれ突き合わせて接着テープで固定する。
【００１８】
請求項３に記載の発明は、請求項１または２に記載の包装箱において、上述した第３の目的を達成すべく、折り畳み片に、例えば折り曲げ自在に形成する係止片と、その係止片を折り曲げて掛け止めることにより折り畳み片を折り畳み状態で保持する、孔状やスリット状等の被係止部とを設ける、ことを特徴とする。
【００１９】
そして、製品を梱包するために組み立てるときには、例えば係止片を折り曲げて、折り畳んだ折り畳み片の被係止部に掛け止め、折り畳み片を折り畳み状態で保持する。
【００２０】
請求項４に記載の発明は、請求項１ないし３のいずれかに記載の包装箱において、上述した第４の目的を達成すべく、折り畳み片を伸張して移動側面を開くとき、手を掛ける手掛け孔を移動側面にあける、ことを特徴とする。
【００２１】
そして、開梱時に、手掛け孔に手を掛けて移動側面を引っ張り、折り畳み片を伸張することにより水平方向に移動して移動側面を開く。
【００２２】
請求項５に記載の発明は、請求項１ないし４のいずれかに記載の包装箱において、上述した第５の目的を達成すべく、４つの矩形状の側面のうち互いに対向する２つの側面を移動側面とする、ことを特徴とする。
【００２３】
そして、４つの矩形状の側面のうち互いに対向する２つの移動側面をともに水平方向に移動し、対向する２つの側面と製品との間の隙間を各々大きくし、その隙間に手を入れて製品を持ち上げて取り出す。
【００２４】
請求項６に記載の発明は、請求項１ないし５のいずれかに記載の包装箱において、同じく上述した第５の目的を達成すべく、４つの矩形状の側面を互いに対向して設ける２つの長手側面と２つの短手側面とで形成し、そのうちの短手側面を移動側面とする、ことを特徴とする。
【００２５】
そして、製品の短手側に手掛け部があるときには、４つの矩形状の側面のうち互いに対向する短手の２つの移動側面を水平方向に移動し、対向する２つの短手側面と製品との間の隙間を大きくし、その隙間に手を入れて手掛け部に手を掛け、製品を持ち上げて取り出す。
【００２６】
請求項７に記載の発明は、請求項１ないし５のいずれかに記載の包装箱において、同じく上述した第５の目的を達成すべく、４つの矩形状の側面を互いに対向して設ける２つの長手側面と２つの短手側面とで形成し、そのうちの長手側面を移動側面とする、ことを特徴とする。
【００２７】
そして、製品の長手側に手掛け部があるときには、４つの矩形状の側面のうち互いに対向する長手の２つの移動側面を水平方向に移動し、対向する２つの長手側面と製品との間の隙間を大きくし、その隙間に手を入れて手掛け部に手を掛け、製品を持ち上げて取り出す。
【発明の効果】
【００２８】
請求項１に記載の発明によれば、移動側面と隣接側面とを折り畳み片で連結してその折り畳み片を折り畳んだ状態で移動側面の左右両側縁と隣接側面の側縁とをそれぞれ突き合わせて接着テープで固定するので、当初梱包時や再梱包時における包装箱の箱強度が低下したり、さほどコスト高となったりすることなく、製品を梱包することができる。耐圧強度は、普通のＡ式の箱（ＪＩＳ０２０１形式の箱）と同等に確保することができる。また、梱包時には、側面と製品との間の隙間が、手が入らないほど小さくても、開梱時には、接着テープを切り開いたり接着テープを剥がしたりして折り畳み片を開くことにより、移動側面を水平方向に移動して製品との間の隙間を大きくし、その隙間に余裕を持って手を入れて製品に手を掛け、製品を持ち上げて取り出し可能とするので、包装箱の小型化を可能として荷扱いを簡単とすることができる。
【００２９】
請求項２に記載の発明によれば、折り畳み片を移動側面の隣接側面に一体的に形成するので、包装箱を構成する部品点数を少なくすることができる。また、製品を梱包するために組み立てるときには、隣接側面に一体的に形成する折り畳み片の先端縁を移動側面に接合すればよいから、包装箱の組立てを簡単とすることができる。
【００３０】
請求項３に記載の発明によれば、製品を梱包するために組み立てるときには、例えば係止片を折り曲げるなどして、折り畳んだ折り畳み片の被係止部に掛け止め、折り畳み片を折り畳み状態で保持するので、組み立てるときに折り畳み片が開いて包装箱の組立ての妨げとなることを防止し、包装箱を組み立てるときの包装箱の組立作業性を向上することができる。
【００３１】
請求項４に記載の発明によれば、開梱時に、手掛け孔に手を掛けて移動側面を引っ張り、折り畳み片を伸張することにより水平方向に移動して移動側面を開くので、包装箱を開梱するときの包装箱の開梱作業性を向上することができる。
【００３２】
請求項５に記載の発明によれば、４つの矩形状の側面のうち互いに対向する２つの移動側面をともに水平方向に移動し、対向する２つの側面と製品との間の隙間を大きくするので、収納する製品を水平方向に移動する必要なく、製品の両側で、側面と製品との間の隙間に手を入れて製品をそのまま持ち上げて取り出すことができ、包装箱を開梱して製品を取り出すときの製品の取り出し作業性を向上することができる。
【００３３】
請求項６に記載の発明によれば、製品の短手側に手掛け部があるときには、４つの矩形状の側面のうち互いに対向する短手の２つの移動側面を水平方向に移動し、対向する２つの短手側面と製品との間の隙間を大きくし、その隙間に手を入れて手掛け部に手を掛け、製品を持ち上げて取り出すので、包装箱を開梱して製品を取り出すときの製品の取り出し作業性を向上することができる。
【００３４】
請求項７に記載の発明によれば、製品の長手側に手掛け部があるときには、４つの矩形状の側面のうち互いに対向する長手の２つの移動側面を水平方向に移動し、対向する２つの長手側面と製品との間の隙間を大きくし、その隙間に手を入れて手掛け部に手を掛け、製品を持ち上げて取り出すので、包装箱を開梱して製品を取り出すときの製品の取り出し作業性を向上することができる。
【発明を実施するための最良の形態】
【００３５】
以下、図面を参照しつつ、この発明の実施の最良形態につき説明する。
図１には、複写機やプリンタやファクシミリなどの製品を収納する、この発明による段ボール製の包装箱を展開して示す。
【００３６】
図１から判るとおり、図示包装箱は、第１段ボールシート１００と第２段ボールシート２００とからなる。
【００３７】
第１段ボールシート１００には、１つの矩形状の短手側面１０を設ける。その短手側面１０の中央には、長孔状の手掛け孔１１をあける。そして、短手側面１０の左右辺には、それぞれ縦折り曲げ線ａ、ｂで折り曲げ自在に連結して矩形状の長手側面１２・１３を設ける。各々の長手側面１２・１３の他辺には、それぞれ縦折り曲げ線ｃ、ｄで折り曲げ自在に連結して折り畳み片１４・１５を設ける。
【００３８】
各折り畳み片１４・１５には、くの字状に折り畳むことができるように縦折り曲げ線ｃ、ｄと平行な３つの縦折り曲げ線ｅ、ｆ、ｇを設ける。そして、縦折り曲げ線ｃと縦折り曲げ線ｅとの間および縦折り曲げ線ｄと縦折り曲げ線ｅとの間の上下にはそれぞれ係止片１６・１６を折り曲げ自在に形成し、縦折り曲げ線ｅと縦折り曲げ線ｆとの間の上下にはそれぞれ切欠き状の被係止部１７・１７を形成し、縦折り曲げ線ｆの外側の先端縁には接合部１８・１８を形成する。被係止部１７は、係止片１６を折り曲げて掛け止めることにより折り畳み片１４・１５を折り畳み状態で保持するもので、切欠き状の他、孔状やスリット状などに形成することができる。
【００３９】
他方、第１段ボールシート１００の１つの短手側面１０には、その上下辺にそれぞれ横折り曲げ線ｈ、ｉで折り曲げ自在に連結して上内フラップ２０と下内フラップ２１を設ける。また、一方の長手側面１２にはその上下辺にそれぞれ横折り曲げ線ｊ、ｋで折り曲げ自在に連結して上外フラップ２２と下外フラップ２３を設け、他方の長手側面１３にはその上下辺にそれぞれ横折り曲げ線ｌ、ｍで折り曲げ自在に連結して上外フラップ２４と下外フラップ２５を設ける。
【００４０】
次に、第２段ボールシート２００には、もう１つの矩形状の短手側面２６を設ける。この短手側面２６の中央にも、長孔状の手掛け孔２７をあける。左右両側縁には、折り畳み片１４・１５の接合部１８・１８を接合する接合部２８・２８を形成する。そして、その上下辺にそれぞれ横折り曲げ線ｎ、ｏで折り曲げ自在に連結して上内フラップ３０と下内フラップ３１を設ける。
【００４１】
いま、複写機やプリンタやファクシミリなどの製品を梱包するために包装箱を組み立てるときには、第１段ボールシート１００を縦折り曲げ線ａ〜ｄで折り曲げるとともに、長手側面１２・１３に一体的に形成する折り畳み片１４・１５もそれぞれ縦折り曲げ線ｅ〜ｇで折り曲げ、図２に示すように両折り畳み片１４・１５の先端縁の接合部１８・１８を、第２段ボールシート２００の短手側面２６の左右側縁の接合部２８・２８に接着剤を用いて接着するなどして接合する。
【００４２】
それから、折り曲げ片１４・１５を縦折り曲げ線ｅ〜ｇで図２中矢示方向に完全に折り曲げて折り曲げ片１４・１５を折り畳み、上下の係止片１６をそれぞれ折り曲げて、図３に示す折り畳み片１５のように折り畳んだ折り畳み片１４・１５の上下の被係止部１７に掛け止め、折り畳み片１４・１５を折り畳み状態で保持する。例えば係止片１６の幅を被係止部１７の幅より若干大きくし、係止片１６を被係止部１７に掛け止めたとき、係止片１６の両側が少し潰れるようにし、組み立てるときに折り畳み片１４・１５が段ボールの弾力で開いて包装箱の組立ての妨げとなることを防止し、包装箱を組み立てるときの組立作業性を向上する。
【００４３】
次いで、図４に示すように、長手側面１２・１３の側縁と短手側面２６の左右両側縁とをそれぞれ突き合わせて外側から貼り付けて接着テープ３３で止めて固定する。
【００４４】
その後、横折り曲げ線ｉ、ｏでそれぞれ下内フラップ２１・３１を折り曲げてから、横折り曲げ線ｋ、ｍで下外フラップ２３・２５を折り曲げ、それらの２つの下外フラップ２３・２５の先端縁間を不図示の接着テープで止めて図５に示す状態とする。これにより、互いに対向して設ける２つの長手側面１２・１３と２つの短手側面１０・２６とで４つの矩形状の側面を形成する。
【００４５】
次いで、製品を梱包するときは、包装箱内の四隅に、図６に示すように４つの緩衝材３５を入れてから、それら緩衝材３５の上に載せて製品３６を入れる。４つの緩衝材３５のうちの２つ角部には、折り畳み片１４・１５を逃げる切欠き３７が設けられている。そして、横折り曲げ線ｈ、ｎでそれぞれ上内フラップ２０・３０を折り曲げてから、横折り曲げ線ｊ、ｌで上外フラップ２２・２４を折り曲げ、それらの２つの上外フラップ２２・２４の先端縁間を不図示の接着テープで止める。
【００４６】
そして、図示包装箱では、製品３６と、２つの長手側面１２・１３との間の隙間Ｅおよび２つの短手側面１０・２６との間の隙間Ｆを、それらの隙間Ｅ、Ｆに手が入らないほど小さくし、幅Ｇおよび奥行きＨを小さくして全体を小型化し、荷扱いを簡単とする。また、長手側面１２・１３の側縁と短手側面２６の左右両側縁とをそれぞれ突き合わせて外側から貼り付けて接着テープ３３で固定するので、箱強度を低下したり、さほどコスト高となったりすることなく、製品３６を包装することができる。
【００４７】
さて、上述した包装箱の開梱時は、カッターナイフなどで接着テープ３３を切り開いたり接着テープを剥がしたりして、移動側面である短手側面２６の左右両側縁と、その短手側面２６に隣接する隣接側面である長手側面１２・１３の側縁とを離し、図７に示すように手掛け孔２７に手を掛けて短手側面２６を引っ張り、その引出力で係止片１６の被係止部１７への掛け止めを外す。そして、折り畳んである折り畳み片１４・１５を開いて伸張し、長手側面１２・１３から離すことにより短手側面２６を上下内フラップ３０・３１とともに水平方向に移動して短手側面２６を開く。これにより、製品３６と短手側面２６との間の隙間をＦからＩに拡げ、余裕を持って手が入るスペースを確保する。
【００４８】
開梱時に、手掛け孔２７に手を掛けて短手側面２６を引っ張り、折り畳み片１４・１５を伸張することにより水平方向に移動して短手側面２６を開くので、包装箱を開梱するときの包装箱の開梱作業性を向上することができる。
【００４９】
それから、収納する製品３６を押して同方向に移動して、図８に示すように製品３６と短手側面２６との間の隙間をＩからＪに狭めるが、製品３６と短手側面１０との間の隙間をＦからＪにほぼ等しいＫに拡げ、対向する２つの短手側面１０・２６と製品３６との間の隙間をＦから手３８の幅Ｃより広いＪ、Ｋまで大きくする。
【００５０】
そして、図８に示すように、それらの隙間Ｊ、Ｋに手３８を入れて製品３６の手掛け部３９・３９に手を掛けて製品３６を持ち上げて取り出す。
【００５１】
ところで、上述した例では、互いに対向して設ける２つの長手側面１２・１３と２つの短手側面１０・２６とで形成する４つの矩形状の側面のうち１つの側面２６を移動側面とした。しかし、例えば図９に示すように、互いに対向する２つの短手側面１０・２６の双方を移動側面としてもよい。そして、開梱時は、２つの短手側面１０・２６をともに水平方向に移動し、それらの短手側面１０・２６と製品３６との間の隙間を各々大きくし、その隙間に手を入れて製品３６を持ち上げて取り出す。
【００５２】
このようにすると、収納する製品３６を水平方向に移動する必要なく、製品３６の両側で、短手側面１０・２６と製品３６との間の隙間に手を入れて製品３６をそのまま持ち上げて取り出すことができ、包装箱を開梱して製品３６を取り出すときの製品３６の取り出し作業性を向上することができる。
【００５３】
また、上述した例では、短手側面２６を移動側面とし、その左右両側縁を伸張自在な折り畳み片１４・１５を介して各々隣接側面である長手側面１２・１３に連結し、開梱時には、折り畳み片１４・１５を伸張して短手側面２６を水平方向に移動し、製品３６との間の隙間を大きくし、その隙間に手を入れて製品３６の手掛け部３９・３９に手を掛け、製品３６を持ち上げて取り出すようにした。
【００５４】
しかし、図１０に示すように、製品３６の長手側に手掛け部４０があるときには、長手側面１２を移動側面とし、その左右両側縁を伸張自在な折り畳み片１４・１５を介して各々隣接側面である短手側面１０・２６に連結し、開梱時には、その長手側面１２を水平方向に移動して製品３６との間の隙間を大きくし、その隙間に手を入れて製品３６の手掛け部４０に手を掛け、製品３６を持ち上げて取り出すようにしてもよい。もちろん、対向する２つの長手側面１２・１３をともに移動側面としてもよい。
【図面の簡単な説明】
【００５５】
【図１】この発明による包装箱の展開図である。
【図２】その包装箱の組立て途中の部分平面図である。
【図３】その折り畳み片の折り畳み状態図である。
【図４】組立て後の状態の部分平面図である。
【図５】組立て後の全体斜視図である。
【図６】製品を収納した状態の平面図である。
【図７】開梱時に、移動側面である短手側面を移動した状態の平面図である。
【図８】収納する製品も移動側面と同方向に移動した状態の平面図である。
【図９】対向する２つの短手側面の双方を移動側面とした包装箱の組立て状態斜視図である。
【図１０】対向する２つの長手側面の一方を移動側面とした包装箱の製品収納状態平面図である。
【図１１】従来の包装箱の製品収納状態平面図である。
【図１２】従来の別の包装箱の製品梱包状態斜視図である。
【図１３】従来のさらに別の包装箱の製品収納状態斜視図である。
【符号の説明】
【００５６】
１０    短手側面
１２    長手側面（隣接側面）
１３    長手側面（隣接側面）
１４    折り畳み片
１５    折り畳み片
１６    係止片
１７    被係止部
１８    接合部
２０    上内フラップ
２１    下内フラップ
２２    上外フラップ
２３    下外フラップ
２４    上外フラップ
２５    下外フラップ
２６    短手側面（移動側面）
２７    手掛け孔
２８    接合部
３０    上内フラップ
３１    下内フラップ
３３    接着テープ
３５    緩衝材
３６    製品
３７    切欠き
３８    手
３９    製品の手掛け部
４０    製品の手掛け部
【図１】
2007030913.tif 000003
【図２】
2007030913.tif 000004
【図３】
2007030913.tif 000005
【図４】
2007030913.tif 000006
【図５】
2007030913.tif 000007
【図６】
2007030913.tif 000008
【図７】
2007030913.tif 000009
【図８】
2007030913.tif 000010
【図９】
2007030913.tif 000011
【図１０】
2007030913.tif 000012
【図１１】
2007030913.tif 000013
【図１２】
2007030913.tif 000014
【図１３】
2007030913.tif 000015